(57)【要約】【課題】車両の組立時や整備時において、高電圧が印加された状態の高電圧ハーネスの高電圧端子部に、不用意に触れることによる作業者の感電を防ぐことができる電動車両用インバータを提供する。【解決手段】電動車両のモータに接続される電動車両用インバータであって、インバータ制御部を備えたインバータ本体と、インバータ本体に配設された高電圧端子部と、高電圧端子部を覆うように、インバータ本体に取り付けられる端子カバーと、高電圧端子部にアクセスする際に、高電圧端子部の高電圧を遮断するインターロック回路と、端子カバーと接合部において脱着自在に接合されるとともに、インバータ本体に脱着自在に固定される本体カバーと、を備え、本体カバーの少なくとも一部は、端子カバーの上に重ねて取り付けられる。【選択図】図４
2018126046.tif 000002
【特許請求の範囲】
【請求項１】
電動車両のモータに接続される電動車両用インバータであって、
インバータ制御部を備えたインバータ本体と、
前記インバータ本体に配設された高電圧端子部と、
前記高電圧端子部を覆うように、前記インバータ本体に取り付けられる端子カバーと、
前記高電圧端子部にアクセスする際に、高電圧端子部の高電圧を遮断するインターロック回路と、
前記端子カバーと接合部において脱着可能に接合されるとともに、前記インバータ本体に脱着自在に固定される本体カバーと、を備え、
前記本体カバーの少なくとも一部は、前記端子カバーの上に重ねて取り付けられることを特徴とする電動車両用インバータ。
【請求項２】
前記インバータ本体に、前記インターロック回路の一部が形成されるとともに、前記本体カバーに、前記インターロック回路の一部が形成され、前記本体カバーの少なくとも一部が前記端子カバーの上に重ねて取り付けられることによって前記インターロック回路が成立するように構成されていることを特徴とする請求項１に記載の電動車両用インバータ。
【請求項３】
前記本体カバーをインバータ本体に脱着自在に固定する締結ボルト用のボルト座面金具孔と、締結ボルトとによって、前記本体カバーに形成された前記インターロック回路と、前記インバータ本体に形成された前記インターロック回路と、を電気的に接続することを特徴とする請求項２に記載の電動車両用インバータ。
【請求項４】
前記本体カバーは、インターロック接続ラインを脱着自在に接続するためのインターロックコネクタを有し、
前記インターロック接続ラインを、インターロックコネクタから取り外すことで前記インターロック回路が遮断されるように構成されていることを特徴とする請求項１から３のいずれか一項に記載の電動車両用インバータ。
【請求項５】
前記端子カバーと前記本体カバーとの接合部が、前記端子カバーと前記本体カバーに設けた凹凸係合部が相互に係合することにより、脱着自在に係止されていることを特徴とする請求項１から４のいずれか一項に記載の電動車両用インバータ。
【請求項６】
前記端子カバーと前記本体カバーとの接合部が、接合部材を介して相互に脱着自在に接合されていることを特徴とする請求項１から４のいずれか一項に記載の電動車両用インバータ。
【請求項７】
前記インバータ本体のインバータ制御部に電源を接続するためのメインコネクタが、前記本体カバーに覆われており、前記本体カバーを、インバータ本体からから取り外すことで、前記メインコネクタにアクセス可能に構成されていることを特徴とする請求項１から６のいずれか一項に記載の電動車両用インバータ。
【請求項８】
請求項１から７のいずれか一項に記載の電動車両用インバータを備えることを特徴とする電動車両。
【発明の詳細な説明】
【技術分野】
【０００１】
本開示は、例えば、電気自動車（ＥＶ）、ハイブリッドカー（ＨＶ）、プラグインハイブリッドカー（ＰＨＶ）、プラグインハイブリッド電気自動車（ＰＨＥＶ）などの電池式電気自動車、その他の電動車両（以下、単に「電動車両」と言う）において搭載され、エンジンコントロールユニット（ＥＣＵ）、電源（バッテリ）、モータ、ジェネレータなどと接続される電動車両用インバータ、および、該電動車両用インバータを備えた電動車両に関する。
【背景技術】
【０００２】
従来、電動車両のパワートレイン（駆動機構）に使用されるインバータは、バッテリとの電力需給や、モータやジェネレータの駆動、回生に伴う電力授受のため、高電圧ハーネス（電線ユニット）が接続されている。
【０００３】
ところで、インバータの高電圧ハーネス接続部（高電圧端子部）は、車両の組立時や整備時に作業しやすいように、端子カバーが設置され、端子カバーにより覆われている構造が一般的である。
この場合、車両の組立時や整備時において、通常、正しい手順によって作業される場合、インバータの端子カバーを取り外す際は、バッテリのサービスプラグを抜くことで、高電圧ハーネスの端子部には、電圧が印加されない状態であり、このような状態で、車両の組立や整備の作業が行われる。
【０００４】
また、特許文献１には、ケースに収容されたインバータなどの高電圧部に対して、電圧が印加された状態において、高電圧部の活線作業を防止するための、電動車両の高電圧部活線作業防止装置が提案されている。かかる装置では、インバータを箱体形状のハウジング内に収容しており、このハウジング内に、電動アクチュエータによるロック機構を設けている。また、電動アクチュエータの動作電源を、バッテリから電線を介して供給される電力としている。
【０００５】
これにより、電線から電動アクチュエータに電力が供給されている場合に、ロック機構がロック状態に保持され、高電圧部にアクセスできないようになっている。一方、電線から電動アクチュエータに電力が供給されていない場合に、インバータを収容するケース部のカバー部を開くことができ、高電圧部にアクセスできるように構成されている。
【先行技術文献】
【特許文献】
【０００６】
【特許文献１】特開２０１１−１９３５４６号公報
【発明の概要】
【発明が解決しようとする課題】
【０００７】
このような従来のインバータでは、万一、上記のような手順を踏まずに、すなわち、バッテリのサービスプラグ（インバータの電源コネクタ）を抜くことなく、誤ってインバータの端子カバーを取り外してしまった場合には、高電圧ハーネスの端子部に、高電圧が印加された状態となり、不用意に端子部に触れることがあり、作業者が感電する虞があった。
【０００８】
このため、従来、端子カバーにインターロック回路用コネクタを一体化させ、端子カバーを外すと、インターロック回路のコネクタも外れ、高電圧が遮断される構造のインバータが提案されている。
【０００９】
しかしながら、このような構造のインバータでは、端子カバーを外す前に、インバータの電源コネクタを取り外してしまうと、インバータの電源がオフの状態（インバータに電流が供給されない状態）となり、インターロック機能が機能せず、端子部の高電圧が遮断されない虞がある。
【００１０】
このような現状に鑑み、本発明の少なくとも一つの実施形態は、車両の組立時や整備時において、高電圧が印加された状態の高電圧ハーネスの高電圧端子部に、不用意に触れることによる作業者の感電を防ぐことができる電動車両用インバータ、及び電動車両を提供することを目的とする。
【課題を解決するための手段】
【００１１】
本発明の少なくとも一実施形態に係る電動車両用インバータは、電動車両のモータに接続される電動車両用インバータであって、インバータ制御部を備えたインバータ本体と、前記インバータ本体に配設された高電圧端子部と、前記高電圧端子部を覆うように、前記インバータ本体に取り付けられる端子カバーと、前記高電圧端子部にアクセスする際に、高電圧端子部の高電圧を遮断するインターロック回路と、前記端子カバーと接合部において脱着可能に接合されるとともに、前記インバータ本体に脱着自在に固定される本体カバーと、を備え、前記本体カバーの少なくとも一部は、前記端子カバーの上に重ねて取り付けられる。
【００１２】
上記（１）の構成によれば、本体カバーを取り外さないと、端子カバーが取り外せないので、高電圧が印加された状態の高電圧ハーネスの高電圧端子部に、不用意に触れることによる、作業者の感電を防ぐことができる。
また、本体カバーを取り外さないと、端子カバーが取り外せないので、誤った手順で作業しても、作業員に誤った手順で作業していることを認識させることができる。
【００１３】
（２）幾つかの実施形態では、上記（１）の構成において、前記インバータ本体に、前記インターロック回路の一部が形成されるとともに、前記本体カバーに、前記インターロック回路の一部が形成され、前記本体カバーの少なくとも一部が前記端子カバーの上に重ねて取り付けられることによって前記インターロック回路が成立するように構成されている。
上記（２）の構成によれば、本体カバーをインバータ本体から取り外すと、インターロック回路が遮断されて、高電圧端子部の高電圧を遮断する。
従って、車両の組立時や整備時において、本体カバーをインバータ本体から取り外すと、インターロック回路が自動的に遮断されるので、インターロック機能が確実に機能して、高電圧端子部の高電圧が確実に遮断できる。
【００１４】
（３）幾つかの実施形態では、上記（２）の構成において、前記本体カバーをインバータ本体に脱着自在に固定する締結ボルト用のボルト座面金具孔と、締結ボルトとによって、前記本体カバーに形成された前記インターロック回路と、前記インバータ本体に形成された前記インターロック回路と、を電気的に接続する。
上記（３）の構成によれば、ボルト座面金具孔を介して、締結ボルトによって、本体カバーに形成されたインターロック回路と、インバータ本体に形成されたインターロック回路とが、電気的に接続されている状態となる。
従って、締結ボルトを取り外して、本体カバーをインバータ本体から取り外せば、インターロック回路が遮断されるので、インターロック機能が確実に機能して、高電圧端子部の高電圧が確実に遮断できる。
【００１５】
（４）幾つかの実施形態では、上記（１）から（３）のいずれか一つの構成において、前記本体カバーは、インターロック接続ラインを脱着自在に接続するためのインターロックコネクタを有し、前記インターロック接続ラインを、インターロックコネクタから取り外すことで前記インターロック回路が遮断されるように構成されている。
上記（４）の構成によれば、本体カバーに、インターロック接続ラインを、脱着自在に接続するためのインターロックコネクタが形成されており、インターロック接続ラインを、インターロックコネクタから取り外さないと、本体カバーが取り外せないようになっている。
そして、インターロック接続ラインを、インターロックコネクタから取り外すと、インターロック回路が遮断されて、高電圧端子部の高電圧を遮断するように構成されている。
従って、車両の組立時や整備時において、インターロック接続ラインを、インターロックコネクタから取り外すと、インターロック回路が遮断されて、高電圧端子部の高電圧を遮断されるので、インターロック機能が確実に機能して、高電圧端子部の高電圧が確実に遮断できる。
【００１６】
（５）幾つかの実施形態では、上記（１）から（４）のいずれか一つの構成において、前記端子カバーと前記本体カバーとの接合部が、前記端子カバーと前記本体カバーに設けた凹凸係合部が相互に係合することにより、脱着自在に係止されている。
上記（５）の構成によれば、端子カバーと本体カバーとの接合部が、端子カバーと本体カバーに設けた凹凸係合部が相互に係合している状態であるので、本体カバーを取り外さないと、端子カバーが取り外せない状態に簡単に保持された状態にできる。従って、車両の組立時や整備時において、簡単な作業で、誤った手順で作業するのを防止できる。
【００１７】
（６）幾つかの実施形態では、上記（１）から（４）のいずれか一つの構成において、前記端子カバーと前記本体カバーとの接合部が、接合部材を介して相互に脱着自在に接合されている。
上記（６）の構成によれば、端子カバーと本体カバーとの接合部が、接合部材を介して相互に脱着自在に接合されているので、接合部材を取り外してから、本体カバーを取り外さないと、端子カバーが取り外せない状態に確実に保持された状態となる。これにより、車両の組立時や整備時において、誤った手順で作業するのが確実に防止できる。
【００１８】
（７）幾つかの実施形態では、上記（１）から（７）のいずれか一つの構成において、前記インバータ本体のインバータ制御部に電源を接続するためのメインコネクタが、前記本体カバーに覆われており、前記本体カバーを、インバータ本体からから取り外すことで、前記メインコネクタにアクセス可能に構成されている。
上記（７）の構成によれば、メインコネクタが、本体カバーに覆われており、本体カバーを、インバータ本体からから取り外さないと、メインコネクタにアクセスできない。
従って、先にインバータ本体への電源供給のメインコネクタを取り外して、誤った手順で作業することがなく、インバータの端子カバーを誤って取り外すことがない。
これにより、高電圧が印加された状態の高電圧ハーネスの高電圧端子部に、不用意に触れることがない。
【００１９】
（８）本発明の少なくとも一実施形態に係る電動車両は、上記（１）から（８）のいずれか一つに記載の電動車両用インバータを備える。
上記（８）の構成によれば、高電圧が印加された状態の高電圧ハーネスの高電圧端子部に、不用意に触れることによる作業者の感電を防ぐことができる。
【発明の効果】
【００２０】
本発明によれば、高電圧が印加された状態の高電圧ハーネスの高電圧端子部に、不用意に触れることによる、作業者の感電を防ぐことができる。
【図面の簡単な説明】
【００２１】
【図１】本発明の実施形態に係る電動車両用インバータの斜視図である。
【図２】図１の電動車両用インバータの分解斜視図である。
【図３】本発明の実施形態に係る電動車両用インバータの上面図である。
【図４】図３のＡ−Ａ線での断面図である。
【図５】図１のＢ部分のインターロックコネクタ部分を示す部分拡大斜視図である。
【図６】図５のインターロックコネクタ部分を示す縦断面である。
【図７】本発明の実施形態に係る電動車両用インバータの概略を示す回路図である。
【発明を実施するための形態】
【００２２】
以下、本発明の実施の形態を図面に基づいてより詳細に説明する。
ただし、実施形態として記載されている又は図面に示されている構成部品の寸法、材質、形状、その相対的配置等は、本発明の範囲をこれらに限定する趣旨ではなく、単なる説明例にすぎない。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。一方、一の構成要素を「備える」、「具える」、「具備する」、「含む」、又は、「有する」という表現は、他の構成要素の存在を除外する排他的な表現ではない。
【００２３】
図１は、本発明の実施形態に係る電動車両用インバータの斜視図、図２は、図１の電動車両用インバータの分解斜視図、図３は、本発明の実施形態に係る電動車両用インバータの上面図、図４は、図３のＡ−Ａ線での断面図、図５は、図１のＢ部分のインターロックコネクタ部分を示す部分拡大斜視図、図６は、図５のインターロックコネクタ部分を示す縦断面、図７は、本発明の実施形態に係る電動車両用インバータの概略を示す回路図である。
図１〜図７において、符号１０は、全体で本発明の電動車両用インバータ１０を示している。
【００２４】
なお、図１〜図２において、電動車両用インバータ１０以外の電動車両の構成部品も図示しているが、これらは、周知の構成部品であるので、その詳細については、説明を省略する。
【００２５】
本発明の電動車両用インバータ１０は、例えば、電気自動車（ＥＶ）、ハイブリッドカー（ＨＶ）、プラグインハイブリッドカー（ＰＨＶ）、プラグインハイブリッド電気自動車（ＰＨＥＶ）などの電動車両において搭載され、エンジンコントロールユニット（ＥＣＵ）、電源（バッテリ）、モータ、ジェネレータなどと接続されるものである。
【００２６】
図１〜図４に示したように、本発明の電動車両用インバータ１０は、例えば、アルミダイカストで作製される箱体形状のインバータ本体１２を備えている。このインバータ本体１２の内部には、図７に示したように、制御基板１４ａなどから構成されるインバータ制御部１４が備えられている。
【００２７】
また、図２、７に示したように、インバータ本体１２の一方の側面１２ａには、メインコネクタ１５が配置されている。図７に示したように、メインコネクタ１５には、インバータ制御部１４の制御基板１４ａが接続されるとともに、接続ライン１８ａ、１８ｂを介して、エンジンコントロールユニット（ＥＣＵ）１６が接続されている。
【００２８】
また、図７に示したように、メインコネクタ１５には、インバータ制御部１４の制御基板１４ａに接続されるとともに、電源コネクタ２２を介してバッテリ（電源）２０が、接続されている。さらに、メインコネクタ１５には、車体などに接地される接続ライン２４が接続されている。
【００２９】
なお、電動車両用インバータ１０のインバータ本体１２には、図示しないが、モータやジェネレータに接続されるコネクタが、例えば、インバータ本体１２の側面１２ａ、１２ｂなどに形成されている。
【００３０】
また、図７に示したように、インバータ本体１２の上面１２ｃには、その後方側（図示しないエンジンが配置される側）に、複数の高電圧端子２６が並列するように配設された高電圧端子部２８を備えている。
【００３１】
この高電圧端子部２８には、高電圧部である高電圧端子部２８に、不用意に接触できないように、図１〜図４及び図７に示したように、高電圧端子部２８を覆うように、インバータ本体１２に、締結ボルト３１によって取り付けられる、例えば、合成樹脂などの絶縁材料から構成される端子カバー３０が設けられている。
【００３２】
なお、図３〜図４に示したように、この端子カバー３０には、高電圧端子部２８を囲むように、環状のシール溝部３２が形成されており、このシール溝部３２に、Ｏリングからなるシール部材３４を装着するすることによって、雨水などが高電圧端子部２８に侵入して短絡が生じないように構成されている。
【００３３】
また、図７に示したように、エンジンコントロールユニット（ＥＣＵ）１６の接続ライン１８ａ、１８ｂは、メインコネクタ１５を介して、インバータ制御部１４の制御基板１４ａに接続され、さらに、インターロックループ回路３６を経て、メインコネクタ１５から、インターロック接続ライン３８を介して、インターロックコネクタ４０に接続されている。
【００３４】
さらに、図１〜図７に示したように、インバータ本体１２の上面１２ｃには、その前方側（フロント側）には、端子カバー３０と、接合部５２において、脱着可能に接合されるとともに、インバータ本体１２に脱着可能に固定された、例えば、合成樹脂などの絶縁材料から構成される本体カバー４２を備えている。本体カバー４２は、少なくとも一部が端子カバー３０の上に重なるように取り付けられ、本体カバー４２を取り外さないと、端子カバー３０が取り外せないように構成されている。
【００３５】
このように構成することによって、本体カバー４２を取り外さないと、端子カバー３０が取り外せないので、誤った手順で作業しても、電動車両用インバータ１０の端子カバー３０を誤って取り外すことがない。これにより、高電圧が印加された状態の高電圧ハーネスの高電圧端子部２８に、不用意に触れることによる、作業者の感電を防ぐことができる。
【００３６】
また、電源コネクタ２２を取り外して、誤った手順で作業しても、本体カバー４２を取り外さないと、端子カバー３０が取り外せないので、高電圧が印加された状態の高電圧ハーネスの高電圧端子部２８に、不用意に触れることによる、作業者の感電を防ぐことができる。また、本体カバー４２を取り外さないと、端子カバー３０が取り外せないので、誤った手順で作業していることを認識させることができる。
【００３７】
さらに、従来の特許文献１のような構成のインバータのように、電動アクチュエータによるロック機構などを設ける必要がなく、簡単な構成で、部品点数も少なく、重量も軽く、小型化でき、燃費も低下することなく、さらには、コストも低減できる。
【００３８】
具体的には、図１〜図４に示したように、この実施形態の電動車両用インバータ１０では、本体カバー４２は、締結ボルト４１を、インバータ本体１２の上面１２ｃに形成されたネジ穴４３に締め付けることにより、インバータ本体１２に脱着可能に固定されるように構成されている。
【００３９】
また、図３〜図４に示したように、インバータ本体１２に、インターロック回路４６の一部４６ａを形成するとともに、本体カバー４２に、インターロック回路４６の一部４６ｂを形成している。これにより、本体カバー４２の少なくとも一部が端子カバー３０の上に重ねて取り付けられることによってインターロック回路４６が成立するように構成されている。すなわち、インターロック回路４６ａと、インターロック回路４６ｂとが相互に電気的接触して、インバータ本体１２と、本体カバー４２に、ループ形状のインターロック回路４６（４６ａ、４６ｂ）が形成されていることになる。
【００４０】
そして、図４に示したように、本体カバー４２をインバータ本体１２から取り外すと、インターロック回路４６が遮断されて、高電圧端子部２８の高電圧を遮断する。従って、車両の組立時や整備時において、締結ボルト４１を緩めて取り外して、本体カバー４２をインバータ本体１２から取り外すと、インターロック回路４６が自動的に遮断されるので、インターロック機能が確実に機能して、高電圧端子部２８の高電圧が確実に遮断できる。これにより、電動車両用インバータ１０の電源コネクタ２２を取り外して、誤った手順で作業することがなく、電動車両用インバータ１０の電源がオフの状態（電動車両用インバータ１０に電流が供給されない状態）とならず、インターロック機能が確実に機能して、高電圧端子部２８の高電圧が確実に遮断できる。
【００４１】
また、この実施形態の電動車両用インバータ１０では、図４に示したように、本体カバー４２に、インターロック回路４６の一部４６ｂを構成するインサート端子４８をインサート成形している。
【００４２】
そして、このインサート端子４８に、本体カバー４２をインバータ本体１２に脱着可能に固定する締結ボルト４１用のボルト座面金具孔５０と、締結ボルト４１とによって、本体カバー４２に形成されたインターロック回路４６ｂと、インバータ本体１２に形成されたインターロック回路４６ａとを電気的に接続する。このように構成することによって、ボルト座面金具孔５０を介して、締結ボルト４１によって、本体カバー４２に形成されたインターロック回路４６ｂと、インバータ本体に形成されたインターロック回路４６ａとが、電気的に接続されている状態となる。従って、締結ボルト４１を取り外して、本体カバー４２をインバータ本体１２から取り外せば、インターロック回路４６（４６ａ、４６ｂ）が遮断される。これにより、電動車両用インバータ１０の電源コネクタ２２を取り外して、誤った手順で作業することがなく、電動車両用インバータ１０の電源がオフの状態（電動車両用インバータ１０に電流が供給されない状態）とならず、インターロック機能が確実に機能して、高電圧端子部２８の高電圧が確実に遮断できる。
【００４３】
この場合、この実施形態の電動車両用インバータ１０では、図３〜図６に示したように、本体カバー４２のフロント側のインバータ本体１２の一方の側面１２ａに対応する側に、インターロックコネクタ４０を有する。
【００４４】
また、図５に示したように、本体カバー４２には、コネクタ用開口部４５が形成されており、インターロックコネクタ４０が、コネクタ用開口部４５から露出して、後述するように、インターロック接続ライン３８のソケット部３８ａを、このインターロックコネクタ４０のソケット部４０ａに脱着自在に接続できるようになっている。
【００４５】
具体的には、インターロックコネクタ４０には、本体カバー４２に形成されたインターロック回路４６の一部４６ｂの末端の端子部４６ｃが突設されているとともに、その上下に可撓性を有するソケット部４０ａが形成されている。
【００４６】
そして、図５に示したように、インターロック接続ライン３８のソケット部３８ａを、このインターロックコネクタ４０のソケット部４０ａに脱着自在に接続できるようになっている。なお、図示しないが、インターロック接続ライン３８のソケット部３８ａには、これらのソケット部４０ａ、端子部４６ｃが係合する係合部分が形成されている。
【００４７】
これにより、本体カバー４２に形成されたインターロック回路４６（４６ａ、４６ｂ）が、インターロック接続ライン３８、メインコネクタ１５を介して、インバータ本体１２のインバータ制御部１４の制御基板１４ａに接続されるようになっている。これにより、インターロック接続ライン３８のソケット部３８ａを、インターロックコネクタ４０のソケット部４０ａから取り外さないと、端子カバー３０が取り外せないように構成されている。
【００４８】
また、インターロック接続ライン３８を、インターロックコネクタ４０から取り外すことでインターロック回路４６（４６ａ、４６ｂ）が遮断されて、高電圧端子部２８の高電圧が遮断されるように構成されている。従って、車両の組立時や整備時において、インターロック接続ライン３８を、インターロックコネクタ４０から取り外すと、インターロック回路４６（４６ａ、４６ｂ）が遮断されて、高電圧端子部２８の高電圧が遮断される。これにより、電動車両用インバータ１０の電源コネクタ２２を取り外しても、電動車両用インバータ１０の電源がオフの状態（電動車両用インバータ１０に電流が供給されない状態）とならず、インターロック機能が確実に機能して、高電圧端子部２８の高電圧が確実に遮断できる。
【００４９】
さらに、この実施形態の電動車両用インバータ１０では、図４に示したように、端子カバー３０と本体カバー４２との接合部５２が、端子カバー３０と本体カバー４２に設けた凹凸係合部５４が相互に係合することにより、脱着可能に係止されている。
【００５０】
具体的には、この実施形態の電動車両用インバータ１０では、図４に示したように、端子カバー３０側に凹部を形成する係合孔５６が形成されるとともに、この係合孔５６に係合するように、本体カバー４２に凸部を形成する下方に突設する突設部５８が形成されている。また、インバータ本体１２の上面１２ｃには、この突設部５８を収容するための収容凹部５５が形成されている。
なお、この実施形態の場合には、係合孔５６としたが、係合凹部とすることももちろん可能である。
【００５１】
これにより、端子カバー３０側の係合孔５６に、本体カバー４２に形成された下方に突設する突設部５８を係合することによって、端子カバー３０と本体カバー４２との接合部５２が形成されている。このように構成することによって、端子カバーと本体カバー４２との接合部が、前記端子カバーと本体カバー４２に設けた凹凸係合部が相互に係合している状態である。これにより、本体カバー４２を取り外さないと、端子カバーが取り外せない状態に確実に保持された状態となっており、車両の組立時や整備時において、誤った手順で作業するのが確実に防止できる。
【００５２】
なお、この実施形態では、接合部５２として、端子カバー３０側の係合孔５６を、本体カバー４２に突設部５８を形成したが、図示しないが、端子カバー３０側に突設部を形成して、本体カバー４２側に係合凹部または係合孔を形成することも可能である。
【００５３】
また、この接合部５２の数、形状、配置位置などは、特に限定されるものではない。また、この実施形態では、端子カバー３０と本体カバー４２との接合部５２が、端子カバー３０と本体カバー４２に設けた凹凸係合部５４が相互に係合するように構成した。
しかしながら、端子カバー３０と本体カバー４２との接合部５２を、端子カバー３０の上方に、本体カバー４２が重なるような構造とするだけでも良い。
【００５４】
さらに、図示しないが、接合部５２として、端子カバー３０と本体カバー４２との接合部５２が、別の接合部材を介して相互に脱着自在に接合されていても良い。これにより、接合部材を取り外してから、本体カバー４２を取り外さないと、端子カバー３０が取り外せない状態に確実に保持された状態となっており、車両の組立時や整備時において、誤った手順で作業するのが確実に防止できる。
【００５５】
また、この実施形態の電動車両用インバータ１０では、図１〜図２に示したように、メインコネクタ１５が、本体カバー４２の側部４２ａに覆われており、本体カバー４２を、インバータ本体１２から取り外すことで、メインコネクタ１５にアクセス可能に構成されている。
【００５６】
従って、先に、電動車両用インバータ１０の電源コネクタ２２を取り外して、誤った手順で作業することがなく、電動車両用インバータ１０の端子カバー３０を誤って取り外すことがない。これにより、高電圧が印加された状態の高電圧ハーネスの高電圧端子部２８に、不用意に触れることがない。
【００５７】
また、誤った手順で、電動車両用インバータ１０の電源コネクタ２２を取り外すことがなく、電動車両用インバータ１０の電源がオフの状態（電動車両用インバータ１０に電流が供給されない状態）とならず、インターロック機能が確実に機能して、高電圧端子部２８の高電圧が確実に遮断できる。
【００５８】
このように構成される本発明の電動車両用インバータ１０において、車両の組立時や整備時に、以下のようにして作業が行われる。
すなわち、本体カバー４２をインバータ本体１２から取り外すには、締結ボルト４１を緩めて取り外して、本体カバー４２をインバータ本体１２から取り外すか、または、インターロック接続ライン３８のソケット部３８ａを、インターロックコネクタ４０のソケット部４０ａから取り外さなければならない。または、これらの取り外し作業を同時に行わなければならない。従って、締結ボルト４１を取り外して、本体カバー４２をインバータ本体１２から取り外せば、インターロック回路４６（４６ａ、４６ｂ）が遮断されることになる。
【００５９】
また、インターロック接続ライン３８を、インターロックコネクタ４０から取り外すと、インターロック回路４６（４６ａ、４６ｂ）が遮断されて、高電圧端子部２８の高電圧が遮断されるように構成されている。これにより、電動車両用インバータ１０の電源コネクタ２２を取り外して、誤った手順で作業することがなく、電動車両用インバータ１０の電源がオフの状態（電動車両用インバータ１０に電流が供給されない状態）とならず、インターロック機能が確実に機能して、高電圧端子部２８の高電圧が確実に遮断できる。
【００６０】
そして、このように高電圧端子部２８の高電圧が遮断された状態で、本体カバー４２をインバータ本体１２から取り外せば、端子カバー３０側の係合孔５６と、本体カバー４２に形成された下方に突設する突設部５８との係合が解除される。これにより、締結ボルト３１を緩めて取り外して、インバータ本体１２から、端子カバー３０を取り外して、高電圧端子部２８が露出されて、高電圧端子２６にアクセスすることができ、所定の結線作業などができるようになっている。
【００６１】
この際、電動車両用インバータ１０では、図１〜図２に示したように、メインコネクタ１５が、本体カバー４２の側部４２ａに覆われており、本体カバー４２を、インバータ本体１２からから取り外さないと、メインコネクタ１５にアクセスできないように構成されている。従って、電動車両用インバータ１０の電源コネクタ２２を取り外して、誤った手順で作業することがなく、電動車両用インバータ１０の端子カバー３０を誤って取り外すことがない。これにより、高電圧が印加された状態の高電圧ハーネスの高電圧端子部２８に、不用意に触れることがない。
【００６２】
また、誤った手順で、電動車両用インバータ１０の電源コネクタ２２を取り外すことがなく、電動車両用インバータ１０の電源がオフの状態（電動車両用インバータ１０に電流が供給されない状態）とならず、インターロック機能が確実に機能して、高電圧端子部２８の高電圧が確実に遮断できるようになっている。
【００６３】
以上、本発明の好ましい実施の態様を説明してきたが、本発明はこれに限定されることはなく、例えば、上記実施形態では、本発明の電動車両用インバータ１０の本体カバー４２を、インバータ本体１２に、締結ボルト４１を介して脱着自在に構成したが、締結ボルト以外でも、脱着自在に固定する方法としては、特に限定されるものではなく、例えば、クランプなど周知の締結方法を採用することができる。
【００６４】
また、上記の実施形態では、インバータ本体１２に、インターロック回路４６の一部４６ａを形成するとともに、本体カバー４２に、インターロック回路４６の一部４６ｂを形成するとともに、本体カバー４２にインターロックコネクタ４０が形成しているが、少なくともいずれか一方の手段だけ設けるようにすれば良い。
【００６５】
すなわち、例えば、図示しないが、インバータ本体１２側に、インターロック回路４６の全体を設けて、このインターロック回路４６に接続するインターロックコネクタ４０を、本体カバー４２に形成しても良い。
【００６６】
また、例えば、図示しないが、インバータ本体１２に、インターロック回路４６の一部４６ａを形成するとともに、本体カバー４２に、インターロック回路４６の一部４６ｂを形成するとともに、インバータ本体１２側のインターロック回路４６の一部４６ａに直接インターロック接続ライン３８を接続するように構成するなど本発明の目的を逸脱しない範囲で種々の変更が可能である。
【産業上の利用可能性】
【００６７】
本開示は、例えば、電気自動車（ＥＶ）、ハイブリッドカー（ＨＶ）、プラグインハイブリッドカー（ＰＨＶ）、プラグインハイブリッド電気自動車（ＰＨＥＶ）などの電動車両において搭載され、エンジンコントロールユニット（ＥＣＵ）、電源（バッテリ）、モータ、ジェネレータなどと接続される電動車両用インバータ、及び電動車両に適用することができる。
【符号の説明】
【００６８】
１０    電動車両用インバータ
１２    インバータ本体
１２ａ、１２ｂ    側面
１２ｃ    上面
１４    インバータ制御部
１５    メインコネクタ
１４ａ    制御基板
１６    エンジンコントロールユニット（ＥＣＵ）
１８ａ、１８ｂ    接続ライン
２０    バッテリ（電源）
２２    電源コネクタ
２４    接続ライン
２６    高電圧端子
２８    高電圧端子部
３０    端子カバー
３１    締結ボルト
３２    シール溝部
３４    シール部材
３６    インターロックループ回路
３８    インターロック接続ライン
３８ａ    ソケット部
４０    インターロックコネクタ
４０ａ    ソケット部
４１    締結ボルト
４２    本体カバー
４２ａ    側部
４３    ネジ穴
４５    コネクタ用開口部
４６    インターロック回路
４６ａ、４６ｂ    インターロック回路の一部
４６ｃ    端子部
４８    インサート端子
５０    ボルト座面金具孔
５２    接合部
５４    凹凸係合部
５５    収容凹部
５６    係合孔
５８    突設部
【図１】
2018126046.tif 000003
【図２】
2018126046.tif 000004
【図３】
2018126046.tif 000005
【図４】
2018126046.tif 000006
【図５】
2018126046.tif 000007
【図６】
2018126046.tif 000008
【図７】
2018126046.tif 000009